(57)【要約】【目的】筐体内のスペース効率が良く、コンパクトな構成の多チャンネルの携帯型データロガーを提供する。【構成】携帯型データ収録装置１の筐体２は、分割面が一平面内にある分割可能な上ケース３と下ケース４からなる。筐体２内にはメイン基板２０が取り付けられ、これに対面して上ケースにはキー基板２１が取り付けられ、メイン基板の一端部には端子基板２２が取り付けられる。筐体とは別体の電池ボックス３０は、キー基板に当接した状態で上ケースに係止し、下ケースの内面の押さえ部３７に押されて前記筐体内に固定される。出し入れ部９には着脱可能に電池蓋１０が設けられる。１又は２チャンネルの場合に比べてメイン基板や表示部が大型化する傾向のある多チャンネル携帯型データロガーにおいても、筐体内空間を有効利用して全体の形状・構造が単純な使い勝手の良いコンパクトな構成とすることができる。【選択図】図４
2004295347.tif 000002
【特許請求の範囲】
【請求項１】
外部のセンサから入力される複数チャンネルのデータを収録する携帯型データ収録装置において、
分割面が一平面内にある分割可能な上ケースと下ケースからなり、一端部側には前記センサを接続するための接続部が形成され、他端部側には電池の出し入れ部が形成されてなる筐体と、
前記筐体内に取り付けられて前記データを収録する制御回路が設けられたメイン基板と、
前記メイン基板の他端部側と対面するように前記上ケースの他端部内に取り付けられ、前記上ケースの前面側から操作される複数のキーが設けられたキー基板と、
前記接続部に近接するように前記メイン基板と交差する向きで前記メイン基板の一端部に取り付けられ、前記センサが着脱可能に接続される端子基板と、
前記筐体の他端部の内部において前記キー基板に当接した状態で前記上ケースに係止し、前記下ケースの内面に設けられた押さえ部に押されて前記筐体内に固定され、前記出し入れ部に臨んで開口が設けられた電池ボックスと、
前記出し入れ部に着脱可能に設けられた電池蓋と、を有することを特徴とする携帯型データ収録装置。
【請求項２】
前記筐体の前記接続部が着脱可能な防滴性のパッキンに覆われていることを特徴とする請求項１記載の携帯型データ収録装置。
【請求項３】
前記電池ボックスが、前面側に設けられた平坦な接触面を有する複数の当接部を介して前記キー基板の裏面に接している請求項１記載の携帯型データ収録装置。
【請求項４】
前記メイン基板の一端部側と対面するように前記上ケースの一端部内に取り付けられ、前記上ケースの前面側から視認される表示部を備えた請求項１記載の携帯型データ収録装置。
【請求項５】
前記上ケースの内面に支持柱が突出して形成され、前記下ケースの他方の内面に受け部が形成され、前記支持柱が前記受け部に係合して前記上ケースと前記下ケースとが一体化するとともに、前記メイン基板が前記支持柱の先端部と前記受け部との間に固定されることを特徴とする請求項１記載の携帯型データ収録装置。
【請求項６】
前記押さえ部が、前記メイン基板に形成された孔部を挿通して前記電池ボックスを押えていることを特徴とする請求項１記載の携帯型データ収録装置。
【発明の詳細な説明】
【０００１】
【発明の属する技術分野】
本発明は、複数のセンサから入力される多チャンネルのデータを収録するための携帯型データ収録装置に関し、さらに詳しくは電子回路を搭載した基板を収納する筐体等の構造に関するものである。本発明に係る多チャンネルの携帯型データ収録装置は、特に食品加工、温室・ビニールハウス等、設備機器・プラント・電力室等における温度・湿度・電圧のデータ収録に有用である。
【０００２】
【従来の技術】
外部センサから入力されるデータを収録する携帯型データ収録装置（データロガー）が知られている。この携帯型データ収録装置は、例えば熱電対や測温抵抗体などの温度センサからの入力値や、電圧計、電流計からの電圧、電流値をデータとして取り込み、それを一旦内部メモリに格納した後、その格納データをパーソナルコンピュータなどに送出することで、収録データの解析を可能にしている。
【０００３】
従来の携帯型のデータロガーは、１乃至２チャンネルのものが多く、多チャンネル  （例えば４チャンネル以上）のものは一般的ではなかった。このような従来の携帯型のデータロガーは、一般的に略直方体形状の筐体を有しており、この筐体は上面側のケース（上ケース）と下面側のケース（下ケース）の２つを分割可能に組み合わせたものとされている。上ケース内には、メイン基板が取り付けられ、このメイン基板に表示素子やキー類が搭載されて上ケースの表面側から視認又は操作できるように構成されている。また下ケースには、下ケースと一体の構造として電池収納部が区画されており、この電池収納部は下ケースの下面側に開口しており、着脱可能な電池蓋で閉止されるようになっている。
【０００４】
【発明が解決しようとする課題】
しかしながら、上述した筐体構造を有する従来の携帯型データ収録装置においては、下ケースの内部空間の一部が該ケースの壁体によって電池収納部として仕切られているため、電池収納部以外の内部空間は下ケースの外形に比して相当に小さくなっている。このため、メイン基板、表示素子、キー類等の主要部品は下ケース内には配置できず、上述の通りすべて上ケース内に取り付けることとされていた。このように、電池収納部は下ケースの内容積の一部を占めるに過ぎないにもかかわらず、下ケース内の残余の空間は主要部品の配置等の用途に有効利用できなかった。
【０００５】
特に、多チャンネル  （例えば４チャンネル以上）の携帯型データロガーの場合には、上ケース内に収納すべきメイン基板が１乃至２チャンネルの場合に比べて大きくなり、また表示項目が増加することや視認性の改善のために表示素子も大画面化するので、これらを収納する上ケースの外形自体も大型化する。
【０００６】
結果として、従来の多チャンネルの携帯型データロガーでは、筐体全体が大型化する傾向が避けられなかった。筐体全体の大型化を避けるため、上ケースの形状を単純に多チャンネル化に合わせて大型化するのでなく、例えばメイン基板を収納する上ケースのうち、表示素子を搭載する部分のみを表示素子の寸法に応じて表示部側に突出した段付きの外形とすると、設計乃至成形上の必要性から上下ケースの分割面（接合面）が一平面内に収まらなくなって水密性・防滴に不都合が生じるという問題が生じた。
【０００７】
本発明は上記状況に鑑みてなされたもので、多チャンネルの携帯型データロガーにおいて、電池の収納構造と、筐体内に配置する基板等の主要構成部品の配置を共に改良することによって、筐体内の空間を部品配置のために有効利用してスペースの効率化を図り、全体の形状を使い勝手が良いコンパクトな構成とすることを目的とする。
【０００８】
【課題を解決するための手段】
請求項１に記載された携帯型データ収録装置は、外部のセンサから入力される複数チャンネルのデータを収録する携帯型データ収録装置において、
分割面が一平面内にある分割可能な上ケースと下ケースからなり、一端部側には前記センサを接続するための接続部が形成され、他端部側には電池の出し入れ部が形成されてなる筐体と、
前記筐体内に取り付けられて前記データを収録する制御回路が設けられたメイン基板と、
前記メイン基板の他端部側と対面するように前記上ケースの他端部内に取り付けられ、前記上ケースの前面側から操作される複数のキーが設けられたキー基板と、
前記接続部に近接するように前記メイン基板と交差する向きで前記メイン基板の一端部に取り付けられ、前記センサが着脱可能に接続される端子基板と、
前記筐体の他端部の内部において前記キー基板に当接した状態で前記上ケースに係止し、前記下ケースの内面に設けられた押さえ部に押されて前記筐体内に固定され、前記出し入れ部に臨んで開口が設けられた電池ボックスと、
前記出し入れ部に着脱可能に設けられた電池蓋と、を有することを特徴としている。
【０００９】
請求項２に記載された携帯型データ収録装置は、請求項１記載の携帯型データ収録装置において、前記筐体の前記接続部が着脱可能な防滴性のパッキンに覆われていることを特徴としている。
【００１０】
請求項３に記載された携帯型データ収録装置は、請求項１記載の携帯型データ収録装置において、前記電池ボックスが、前面側に設けられた平坦な接触面を有する複数の当接部を介して前記キー基板の裏面に接していることを特徴としている。
【００１１】
請求項４に記載された携帯型データ収録装置は、請求項１記載の携帯型データ収録装置において、前記メイン基板の一端部側と対面するように前記上ケースの一端部内に取り付けられ、前記上ケースの前面側から視認される表示部を備えたことを特徴としている。
【００１２】
請求項５に記載された携帯型データ収録装置は、請求項１記載の携帯型データ収録装置において、前記上ケースの内面に支持柱が突出して形成され、前記下ケースの他方の内面に受け部が形成され、前記支持柱が前記受け部に係合して前記上ケースと前記下ケースとが一体化するとともに、前記メイン基板が前記支持柱の先端部と前記受け部との間に固定されることを特徴としている。
【００１３】
請求項６に記載された携帯型データ収録装置は、請求項１記載の携帯型データ収録装置において、前記押さえ部が、前記メイン基板に形成された孔部を挿通して前記電池ボックスを押えていることを特徴としている。
【００１４】
【発明の実施の形態】
本発明の実施の形態を図１〜図６を参照して説明する。
図１は、携帯型多チャンネルデータ収録装置１  （データ収録装置１）の平面図  （前面側から見た図）、図２は右側面図、図３は正面図である。また、図４は図１のＩＶ−ＩＶ  切断線における断面図、図５は図１のＶ−Ｖ  切断線における断面図、図６は図４のＶＩ−ＶＩ  切断線における断面図である。このデータ収録装置１は、外部のセンサから入力される複数チャンネルのデータを収録する機能を有し、図１〜図３に示すように係る機能を達成する電子機構を内部に納めるための基体として略直方体状  （平面視で略矩形）の筐体２を有している。
【００１５】
この筐体は、図２に示すように結合された上ケース３と下ケース４からなるが、以後の説明における便宜上、図１における上側を本装置・筐体・上下ケース４の一端部  （側）と称し、図１における下側を本装置１・筐体２・上下ケース４等の他端部  （側）と称する。また、図１で表れている面、すなわち図２の左面  （側）を本装置１又は筐体２の前面  （側）と称し、その反対面  （側）を本装置１又は筐体２の底面  （側）と称する。
【００１６】
図１〜図３を参照して本装置１の外観を説明する。データ収録装置１の筐体２の前面には、その一端部側の半部に液晶表示装置からなる表示部５が設けられている。また、その他端部側の半部には複数のキーを備えたキー操作部６が設けられている。筐体２の一端部側の端面には、外部の図示しないセンサを接続するために複数チャンネル  （本例では４チャンネル）の接続部７が形成されている。接続部７はチャンネルごとに独立して区画されている。各チャンネルごとの接続部７は、防滴性の着脱可能なパッキン８によってそれぞれ覆われており、使用していないチャンネルの接続部７は該パッキン８を装着したままとし、使用しているチャンネルの接続部７には該パッキン８を外してセンサを差し込むことができる。筐体２の他端部側の端面には、電池の出し入れ部となる出し入れ部９が形成され、該出し入れ部９には電池蓋１０が着脱可能に設けられている。この電池蓋１０には、電池蓋１０を出し入れ部９に取り付けるためのロック１１が設けられている。筐体２の上ケース３の一側面には、通信ポート１２と外部電源ポート１３が設けられている。
【００１７】
図２に示すように、本例のデータ収録装置１の筐体２を構成する上下ケース３，４の分割面は一平面内にあり、従って両ケース３，４の間にある矩形環状のパッキン１４は一様な押圧圧縮を受けて両ケースの端面に一様に密着するので、優れた水密性・防滴性を発揮する。このように、上下ケース３，４の分割面が一平面内に配置できたのは、図４及び５を参照して以後説明する筐体構造及び筐体２内の部品配置の工夫によるものである。
【００１８】
図１のＩＶ−ＩＶ  切断線における断面図である図４に示すように、下ケース４の厚さは上ケース３に比べて小さいが一定しており、上下ケース３，４の分割面は一平面内にある。上ケース３の周状の分割面（端面）には、パッキン１４を納める凹部２６が形成されている。上ケース３と下ケース４の各分割面の間には、周状のパッキン１４が挟まれており、両ケース３，４間には防滴構造が構成されている。上述の通り両ケース３，４の分割面は一平面内にあるのでパッキン１４の挟持状態は安定しており、防滴機能が高く筐体２内の電子機器は使用環境中の水分等によって影響を受けにくい。なお、この周状のパッキン１４は、接続部７を覆う前記パッキン８と連結部１４ａを介して連結されているので、前記パッキン８は接続部７から外した場合にも紛失しにくい。
【００１９】
図４に示すように、上ケース３の内面の中央には支持柱１５が突出して形成され、これに対応して下ケース４の内面には受け部１６が形成されている。また、下ケース４の内面の一端部側には支持柱１７が突出して形成され、これに対応して上ケース３の内面には受け部１８が形成されている。また、下ケース４の一端部及び他端部には、上ケース３側に向けて鉤状の係止片１９が突出して設けられている。これに対応して、上ケース３の一端部及び他端部には、係止凹部２７が設けられている。上ケース３と下ケース４を結合すると、下ケース４の係止片１９は上ケース３の係止凹部２７に係合する。また、上ケース３の支持柱１５が下ケース４の受け部１６に結合され、下ケース４の支持柱１９が上ケース３の受け部１８に結合される。ここで、各支持柱１５，１７に設けられたボルト孔に固定ボルトを通して受け部１６，１８にねじ込めば、上ケース３と下ケース４は結合状態に固定される。
【００２０】
図４及び図５に示すように、筐体２内にはメイン基板２０が取り付けられている。メイン基板２０は略矩形の基板であり、本例のデータ収録装置１の機能を実現する電子回路が搭載されている。メイン基板２０は、第１の孔部２０ａにおいて下ケース４の支持柱１７に挿通され、第２の孔部２０ｂにおいて受け部１６に載置される。上ケース３と下ケース４を結合すると、上ケース３の支持柱１５がメイン基板２０の孔部２０ｂを挿通して下ケース４の受け部１６に結合され、メイン基板２０は支持柱１５によって受け部１６の上に押えられて固定される。メイン基板２０は少なくとも２ヶ所以上の孔部２０ａ，２０ｂにおいて、前述した支持柱１５，１７又は受け部１６により確実に位置決め固定される。
【００２１】
メイン基板２０の他端部側と対面するように、上ケース３の他端部内には複数のキーが設けられたキー基板２１が取り付けられている。キー基板２１は、上ケース３の内面に直接取り付けられており、上ケース３の表面側にあるシート状の操作面を有するキー操作部６を介して操作されるように構成されている。
【００２２】
筐体２の一端部にある接続部７に近接して、端子基板２２が設けられている。
端子基板２２は、外部のセンサが着脱可能に接続されるコネクタが接続される基板であって、メイン基板２０と交差する向き（本例では直交）でメイン基板２０の一端部に取り付けられている。なお、コネクタは図示しないが接続部７を構成する上ケース３の一端部を貫通して設けられている。
【００２３】
メイン基板２０の一端部側と対面するように、上ケース３の一端部の内面には、表示部５が取り付けられている。表示部５は、その一端部側を下ケース４の支持柱１７と上ケース３の受け部１８によって所定位置に固定され、その他端部側を上ケース３の所定位置に設けられたボス部２３に止めねじ等の固定手段で固定されている。本例の表示部５は液晶表示素子である。上ケース３の一端部側の半部には、透光性を有する窓部２５が設けられており、この窓部２５を介して上ケース３の表面側から表示部５を視認することができる。
【００２４】
本例のデータ収録装置１の電池収納部は、従来の技術で説明したような筐体２の一部を電池収納室として区画構成するものではなく、筐体２  （両ケース３，４）とは全く別体の電池ボックス３０を用いている。電池ボックス３０は、筐体２のように強度を必要とするものではないので、筐体２よりも肉薄で軽量に構成できる。この電池ボックス３０は４本の単三乾電池を収納でき、両側が乾電池の外形に沿った周状の箱体である。電池ボックス３０の一端部側には電極３１が設けられ、この電極３１は筐体２の組立て状態においてメイン基板２０に接続される。電池ボックス３０の他端部側は開口しており、図４中に想像線で示す電池３２の出し入れを行なう。
【００２５】
電池ボックス３０は、筐体２とは別体であるが、以下に説明するような固定構造で筐体２内の所定位置に確実かつ簡易に取り付け・固定されている。まず、電池ボックス３０は、筐体２の他端部の内部において、キー基板２１とメイン基板２０の間の空間を有効利用して配置されている。ここで、図５に示すように、電池ボックス３０の前面側には平坦な突起状の当接部３３が形成されており、この当接部３３においてキー基板２１の表面に安定して当接している。また、電池ボックス３０の周状の両側には、係止部としてのツメ部３４が形成されており、上ケース３の内面に形成された被係止部としてのフック３５にこのツメ部３４が係止して図５中に示す矢印Ａ方向の位置が決められている。また、図４に示すように、上ケース３には突起３６が形成されており、電池ボックス３０は一端部側が該突起３６に突き当てられて一端部から他端部方向への位置が決められている。
この状態で、下ケース４の内面に突出して設けられた棒状の押さえ部３７が、電池ボックス３０の底面側を押えている。
【００２６】
なお、この押さえ部３７は、メイン基板２０に設けられた孔部２０ｃを挿通しており、メイン基板２０の位置決め部材としても機能している。
【００２７】
以上のように筐体２内に取り付けられた電池ボックス３０は、その開口３０ａが筐体２の出し入れ部と一致した状態にある。この筐体２の出し入れ部には、着脱可能に電池蓋１０が設けられている。図６に示すように、電池蓋１０には、電池ボックス３０内の電池３２が接触する接点ばね４０が設けられ、該接点ばね４０は電池ボックス３０の一端部側の電極３１とともに、電池３２をメイン基板２０に接続している。電池蓋１０には、電池蓋１０を出し入れ部に取り付けた状態に固定するためのロック１１が設けられている。ロック１１を回転させて筐体２側に係止させれば、電池蓋１０は筐体２に固定されて出し入れ部９を閉止し、電池ボックス３０内の電池をメイン基板２０に接続する。
【００２８】
以上の構成によれば、１又は２チャンネルの場合に比べてメイン基板が大きく、表示部も大型化する必要性のある４チャンネルの携帯型データロガーにおいて、表示部５やキー類を下ケース４のメイン基板２０から分けて上ケース３内に設け、電池は筐体２とは別体の電池ボックス３０に収納し、これを上下ケース３，４の間に係止構造で位置決めして取り付けたので、筐体２内のスペース効率が良く、使い勝手が良いコンパクトな構成とすることができた。
【００２９】
【発明の効果】
以上説明したように、本発明によれば、表示部やキー基板を下ケースのメイン基板から分けて上ケース内に設け、電池を筐体とは別体の電池ボックスとし、これを筐体内においてキー基板とメイン基板の間の空間に係止構造で位置決めして取り付けたので、１又は２チャンネルの場合に比べてメイン基板が大きく、表示部も大型化する必要性のある多チャンネルの携帯型データロガーにおいても、筐体内の空間を部品配置等のために有効利用してスペースの効率化を図ることができ、全体の形状・構造を単純化して使い勝手が良いコンパクトな構成とすることができる。
【図面の簡単な説明】
【図１】本発明の携帯型データ収録装置の実施の形態を示す平面図。
【図２】本発明の携帯型データ収録装置の実施の形態を示す右側面図。
【図３】本発明の携帯型データ収録装置の実施の形態を示す正面図。
【図４】図１のＩＶ−ＩＶ  切断線における断面図。
【図５】図１のＶ−Ｖ  切断線における断面図。
【図６】図４のＶＩ−ＶＩ  切断線における断面図。
【符号の説明】
１…携帯型多チャンネルデータ収録装置、２…筐体、３…上ケース、
４…下ケース、５…表示部、７…接続部、８…防滴性のパッキン、
９…出し入れ部、１０…電池蓋、１５…支持柱、１６…受け部、
２０…メイン基板、２１…キー基板、２２…端子基板、３０…電池ボックス、
３２…当接部、３４…係止部としてのツメ部、３５…被係止部としてのフック、
３７…押さえ部。
【図１】
2004295347.tif 000003
【図２】
2004295347.tif 000004
【図３】
2004295347.tif 000005
【図４】
2004295347.tif 000006
【図５】
2004295347.tif 000007
【図６】
2004295347.tif 000008